(57)【要約】【課題】電気式空気清浄機および、または脱臭フィルタを簡便な構成で容易に、且つ正確に着脱できるようにした空気調和機を提供する。【解決手段】電気式空気清浄機１０が、前面カバー１２と後面カバー１３を備え、同後面カバー１３の前後部に支持体１４と把手部１５を突設し、且つ上流側に放電用イオナイザ線に放電対電極板を対向させたコロナ放電部を備え、下流側に集塵電極部を備えた本体部と、吸込口に設けられ、前記支持体１４を着脱可能に枢支する枢支部２０と、前記前面カバー１２と前記後面カバー１３の後部を係脱可能に係止する係止部２１とを備え、前記本体部１９の底部を接離可能に支持する断面凹状のベース部２２とで構成され、前記本体部１９を、前記支持体１４を前記枢支部２０で枢支し、底部を前記ベース部２２で支持すると共に、後部を前記係止部２１で係止して前部が低くなるように装着した。【選択図】  図４
2004218990.tif 000002
【特許請求の範囲】
【請求項１】
前部を開放したベースに、吸込口を備え前端が低くなるように傾斜させた上部パネルおよび吹出口を備えた下部パネルからなる前面パネルを装着し、前記吸込口と前記吹出口とを結ぶ空気通路に熱交換器と送風ファンとを設け、前記吸込口の裏面にプレフィルタを設けると共に、同プレフィルタと前記熱交換器との間に電気式空気清浄機を着脱可能に装着してなる空気調和機において、
前記電気式空気清浄機が、通気性を有する前面カバーおよび後面カバーを備えると共に、同後面カバーの前後部に支持体および把手部を突設し、且つ上流側に放電用イオナイザ線に放電対電極板を対向させたコロナ放電部を備え、下流側に集塵電極部を備えた本体部と、前記吸込口に設けられ、前記支持体を着脱可能に枢支する枢支部と、前記前面カバーおよび前記後面カバーの後部を係脱可能に係止する係止部とを備え、これら枢支部と係止部とを接続して前記本体部の底部を接離可能に支持する通気性を有する断面凹状のベース部とで構成され、
前記本体部が、前記支持体を前記枢支部で枢支し、底部を前記ベース部で支持すると共に、後部を前記係止部で係止して前部が低くなるように装着されてなることを特徴とする空気調和機。
【請求項２】
前部を開放したベースに、吸込口を備え前端が低くなるように傾斜させた上部パネルおよび吹出口を備えた下部パネルからなる前面パネルを装着し、前記吸込口と前記吹出口とを結ぶ空気通路に熱交換器と送風ファンとを設け、前記吸込口の裏面にプレフィルタを設けると共に、同プレフィルタと前記熱交換器との間に電気式空気清浄機および脱臭フィルタを着脱可能に装着してなる空気調和機において、
前記電気式空気清浄機が、通気性を有する前面カバーおよび後面カバーを備えると共に、同後面カバーの前後部に支持体および把手部を突設し、且つ上流側の一側に放電用イオナイザ線に放電対電極板を対向させたコロナ放電部を備え、下流側の一側に集塵電極部を備えた本体部と、前記吸込口に設けられ、前記支持体を着脱可能に枢支する枢支部と、前記前面カバーおよび前記後面カバーの後部を係脱可能に係止する係止部とを備え、これら枢支部と係止部とを接続して前記本体部の底部を接離可能に支持する通気性を有する断面凹状のベース部とで構成されると共に、前記脱臭フィルタが、前記後面カバーの上流側の他側に挿脱可能に設けられてなり、
前記本体部および前記脱臭フィルタが、前記支持体を前記枢支部で枢支し、底部を前記ベース部で支持すると共に、後部を前記係止部で係止して前部が低くなるように装着されてなることを特徴とする空気調和機。
【請求項３】
前記支持体が、前記後面カバーの前端部両側に突設された対をなす係合片からなり、前記枢支部が、前記係合片に対応して前記ベース部に設けられた係合孔からなることを特徴とする請求項１または請求項２に記載の空気調和機。
【請求項４】
前記係合片が先細状に形成される一方、前記係合孔が前記係合片の外形部に対応してテーパ状に形成されてなることを特徴とする請求項３に記載の空気調和機。
【請求項５】
前記把手部が、前記後面カバーの中央部に一体成形され、後部を開放した箱状の突出片からなることを特徴とする請求項１または請求項２に記載の空気調和機。
【請求項６】
前記本体部の後部に段部が形成される一方、前記係止部が、前記ベース部に設けられ、前記段部に係脱可能に係止する係止爪からなることを特徴とする請求項１または請求項２に記載の空気調和機。
【請求項７】
前記本体部の放電対電極板および前記後面カバーの一側に、同後面カバーに前記放電対電極板を固定する固定部と、同放電対電極板に接続される電気接点部とを設ける一方、他側に、前記放電対電極板を前記後面カバーに係脱可能に係止する補助係止部を設けてなることを特徴とする請求項１または請求項２に記載の空気調和機。
【請求項８】
前記固定部が、平らなシート状に形成された前記放電対電極板の一側部と、前記後面カバーの一側に設けられ、前記放電対電極板の一側部を収容して固定する枠体とからなることを特徴とする請求項７に記載の空気調和機。
【請求項９】
前記枠体の上面部に、前記放電極用電気接点板を設け、前記枠体の壁により、前記放電対電極板と前記放電用イオナイザ線との間に絶縁抵抗が形成されるようにしてなることを特徴とする請求項１、請求項２または請求項８に記載の空気調和機。
【請求項１０】
前記放電極用電気接点板の一端が、ばねを介して前記放電用イオナイザ線と接続する一方、他端が、前記支持体を突設した前記後面カバーの縁部から外側にはみ出すように形成されてなることを特徴とする請求項３または請求項９に記載の空気調和機。
【請求項１１】
前記枠体の上下面にリブを突設し、同リブにより、前記枠体の上下面に前記放電極用電気接点板および前記放電用イオナイザ線が接触しないようにしてなることを特徴とする請求項８または請求項９に記載の空気調和機。
【請求項１２】
前記集塵電極部が、導電性を有する部材により網形状によりシート状に形成されてなることを特徴とする請求項１または請求項２に記載の空気調和機。
【請求項１３】
前記放電対電極板の下面が平坦に形成されると共に、前記集塵電極部が隙間なく接合されてなることを特徴とする請求項１、請求項２、請求項７、請求項８または請求項１２の何れかに記載の空気調和機。
【請求項１４】
前記ベース部に、前記本体部の前記放電用イオナイザ線と前記放電対電極板に対応する板ばね状の電気接点を設けてなることを特徴とする請求項１または請求項２に記載の空気調和機。
【請求項１５】
前記板ばね状の電気接点は、前記放電対電極板に対する接点位置が前記ベース部の上面側の中央よりも下方に位置するようにしてなることを特徴とする請求項１４に記載の空気調和機。
【請求項１６】
前記ベース部に、前記本体部に電源を供給するための高圧トランスを収容するトランス収容部を設けてなることを特徴とする請求項１または請求項２に記載の空気調和機。
【請求項１７】
前記トランス収容部が、前記ベース部の裏面側に一体成形されてなることを特徴とする請求項１６に記載の空気調和機。
【請求項１８】
前記高圧トランスから導出された放電電極線および放電対電極線は、前記ベース部の裏面側に形成された独立した線路を通して前記放電用イオナイザ線および前記放電対電極板に夫々接続されてなることを特徴とする請求項１６に記載の空気調和機。
【請求項１９】
前記高圧トランスから前記本体部に供給される電源は、中継コネクタを介して接続されたメイン基板ユニットにより入力されるようにしてなることを特徴とする請求項１６に記載の空気調和機。
【請求項２０】
前記本体部を臨ませた前記前面カバーの上部に、前記放電電極線および前記放電対電極板に平行な保護部材を設けてなることを特徴とする請求項１、請求項２または請求項１８に記載の空気調和機。
【請求項２１】
前記脱臭フィルタが、活性炭ＰＥ材またはＰＰ材によりハニカム状またはプリーツ状に形成されてなることを特徴とする請求項２に記載の空気調和機。
【発明の詳細な説明】
【０００１】
【発明の属する技術分野】
本発明は、空気調和機に係わり、より詳細には、電気式空気清浄機および、または脱臭フィルタを簡便な構成により容易に、且つ正確に着脱できるようにした構造に関する。
【０００２】
【従来の技術】
従来の静電式空気清浄機の交換型集塵ユニットとして、集塵ユニットの外装ケースを導電性可燃物でつくり、その一方側に対向電極を多段に一体形成するとともに、他方側にフィルタ保持部を一体形成し、該フィルタ保持部に静電フィルタおよび脱臭フィルタを保持し、外装ケースは、空気清浄機本体内の送風ファンとイオン化線との間において該イオン化線と平行に摺動させて着脱自在とすることにより、高集塵性能を有しながら、イオン化部と集塵部とを簡単に同時交換でき、廃棄上の問題がなく、性能維持を容易にしてなるものがあった（例えば、特許文献１参照。）。
【０００３】
しかしながら、前記集塵ユニットは、前記対向電極の風下に前記静電フィルタを配置し、同静電フィルタの風下に前記脱臭フィルタを順次配置した構成であるため、効果的な空気清浄を行なえる一方、通風抵抗が大きくなってしまうことから、例えば熱交換器を内蔵した空気調和機に組み込んで使用するには、この熱交換器が更に通風抵抗を増加させてしまうことになるので不向きであった。
【０００４】
また、従来の空気調和機の空清フィルタ着脱構造として、大型の空清フィルタを簡単に、かつ確実に固定でき、使用中に大型空清フィルタが外れるなどの不良が発生しないようにするため、壁掛け式の空気調和機で、前面に吸込グリルと意匠パネル、その内側に熱交換器、パネルと吸込グリルの間に空清フィルタを設置し、それら内部部品を固定する筐体からなる室内機において、前面と前面上部から背面方向に熱交換器の形状に沿って傾斜する傾斜面とから形成される大型空清フィルタと、この大型空清フィルタの傾斜面上部の両側面に設けられ、回転方向に自由度を持たせたフィルタ側係合部と、パネルの上部に設けられ、フィルタ側係合部と係合し大型空清フィルタを保持するパネル側係合部とを備えたものがあった（例えば、特許文献２参照。）。
【０００５】
しかしながら、前記大型の空清フィルタを保持する際、前記フィルタ側係合部を、前記パネル側係合部に対して位置合わせをしながら係合する必要があるため不便であった。
【０００６】
【特許文献１】
特開平１１−１９７５４２号公報（第１頁、第５図）
【特許文献２】
特開２０００−１３０８３４号公報（第１頁、第１図乃至第４図）
【０００７】
【発明が解決しようとする課題】
本発明においては、上記の問題点に鑑み、電気式空気清浄機および、または脱臭フィルタを簡便な構成により容易に、且つ正確に着脱できるようにした空気調和機を提供することを目的とする。
【０００８】
【課題を解決するための手段】
本発明は、上記課題を解決するため、前部を開放したベースに、吸込口を備え前端が低くなるように傾斜させた上部パネルおよび吹出口を備えた下部パネルからなる前面パネルを装着し、前記吸込口と前記吹出口とを結ぶ空気通路に熱交換器と送風ファンとを設け、前記吸込口の裏面にプレフィルタを設けると共に、同プレフィルタと前記熱交換器との間に電気式空気清浄機を着脱可能に装着してなる空気調和機において、
前記電気式空気清浄機が、通気性を有する前面カバーおよび後面カバーを備えると共に、同後面カバーの前後部に支持体および把手部を突設し、且つ上流側に放電用イオナイザ線に放電対電極板を対向させたコロナ放電部を備え、下流側に集塵電極部を備えた本体部と、前記吸込口に設けられ、前記支持体を着脱可能に枢支する枢支部と、前記前面カバーおよび前記後面カバーの後部を係脱可能に係止する係止部とを備え、これら枢支部と係止部とを接続して前記本体部の底部を接離可能に支持する通気性を有する断面凹状のベース部とで構成され、
前記本体部が、前記支持体を前記枢支部で枢支し、底部を前記ベース部で支持すると共に、後部を前記係止部で係止して前部が低くなるように装着されてなる構成となっている。
【０００９】
また、前部を開放したベースに、吸込口を備え前端が低くなるように傾斜させた上部パネルおよび吹出口を備えた下部パネルからなる前面パネルを装着し、前記吸込口と前記吹出口とを結ぶ空気通路に熱交換器と送風ファンとを設け、前記吸込口の裏面にプレフィルタを設けると共に、同プレフィルタと前記熱交換器との間に電気式空気清浄機および脱臭フィルタを着脱可能に装着してなる空気調和機において、
前記電気式空気清浄機が、通気性を有する前面カバーおよび後面カバーを備えると共に、同後面カバーの前後部に支持体および把手部を突設し、且つ上流側の一側に放電用イオナイザ線に放電対電極板を対向させたコロナ放電部を備え、下流側の一側に集塵電極部を備えた本体部と、前記吸込口に設けられ、前記支持体を着脱可能に枢支する枢支部と、前記前面カバーおよび前記後面カバーの後部を係脱可能に係止する係止部とを備え、これら枢支部と係止部とを接続して前記本体部の底部を接離可能に支持する通気性を有する断面凹状のベース部とで構成されると共に、前記脱臭フィルタが、前記後面カバーの上流側の他側に挿脱可能に設けられてなり、
前記本体部および前記脱臭フィルタが、前記支持体を前記枢支部で枢支し、底部を前記ベース部で支持すると共に、後部を前記係止部で係止して前部が低くなるように装着されてなる構成となっている。
【００１０】
また、前記支持体が、前記後面カバーの前端部両側に突設された対をなす係合片からなり、前記枢支部が、前記係合片に対応して前記ベース部に設けられた係合孔からなる構成となっている。
【００１１】
また、前記係合片が先細状に形成される一方、前記係合孔が前記係合片の外形部に対応してテーパ状に形成されてなる構成となっている。
【００１２】
また、前記把手部が、前記後面カバーの中央部に一体成形され、後部を開放した箱状の突出片からなる構成となっている。
【００１３】
また、前記本体部の後部に段部が形成される一方、前記係止部が、前記ベース部に設けられ、前記段部に係脱可能に係止する係止爪からなる構成となっている。
【００１４】
また、前記本体部の放電対電極板および前記後面カバーの一側に、同後面カバーに前記放電対電極板を固定する固定部と、同放電対電極板に接続される電気接点部とを設ける一方、他側に、前記放電対電極板を前記後面カバーに係脱可能に係止する補助係止部を設けてなる構成となっている。
【００１５】
また、前記固定部が、平らなシート状に形成された前記放電対電極板の一側部と、前記後面カバーの一側に設けられ、前記放電対電極板の一側部を収容して固定する枠体とからなる構成となっている。
【００１６】
また、前記枠体の上面部に、前記放電極用電気接点板を設け、前記枠体の壁により、前記放電対電極板と前記放電用イオナイザ線との間に絶縁抵抗が形成されるようにしてなる構成となっている。
【００１７】
また、前記放電極用電気接点板の一端が、ばねを介して前記放電用イオナイザ線と接続する一方、他端が、前記支持体を突設した前記後面カバーの縁部から外側にはみ出すように形成されてなる構成となっている。
【００１８】
また、前記枠体の上下面にリブを突設し、同リブにより、前記枠体の上下面に前記放電極用電気接点板および前記放電用イオナイザ線が接触しないようにしてなる構成となっている。
【００１９】
また、前記集塵電極部が、導電性を有する部材により網形状によりシート状に形成されてなる構成となっている。
【００２０】
また、前記放電対電極板の下面が平坦に形成されると共に、前記集塵電極部が隙間なく接合されてなる構成となっている。
【００２１】
また、前記ベース部に、前記本体部の前記放電用イオナイザ線と前記放電対電極板に対応する板ばね状の電気接点を設けてなる構成となっている。
【００２２】
また、前記板ばね状の電気接点は、前記放電対電極板に対する接点位置が前記ベース部の上面側の中央よりも下方に位置するようにしてなる構成となっている。
【００２３】
また、前記ベース部に、前記本体部に電源を供給するための高圧トランスを収容するトランス収容部を設けてなる構成となっている。
【００２４】
また、前記トランス収容部が、前記ベース部の裏面側に一体成形されてなる構成となっている。
【００２５】
また、前記高圧トランスから導出された放電電極線および放電対電極線は、前記ベース部の裏面側に形成された独立した線路を通して前記放電用イオナイザ線および前記放電対電極板に夫々接続されてなる構成となっている。
【００２６】
また、前記高圧トランスから前記本体部に供給される電源は、中継コネクタを介して接続されたメイン基板ユニットにより入力されるようにしてなる構成となっている。
【００２７】
また、前記本体部を臨ませた前記前面カバーの上部に、前記放電電極線および前記放電対電極板に平行な保護部材を設けてなる構成となっている。
【００２８】
更に、前記脱臭フィルタが、活性炭ＰＥ（ポリエチレン）材またはＰＰ（ポリプロピレン）材によりハニカム状またはプリーツ状に形成されてなる構成となっている。
【００２９】
【発明の実施の形態】
以下、本発明の実施の形態を図面に基づいた実施例として詳細に説明する。
図１は本発明による空気調和機の断面図であり、図２は本発明による空気調和機の要部断面図であり、図３は本発明による空気調和機の説明図で、（Ａ）は要部分解斜視図、（Ｂ）は要部斜視図であり、図４は本発明による空気調和機の一実施例を示す分解斜視図であり、図５は本発明による空気調和機の一実施例を示す分解斜視図であり、図６は本発明による空気調和機の他の実施例を示す分解斜視図であり、図７は本発明による空気調和機の他の実施例を示す分解斜視図であり、図８は本発明による空気調和機の説明図で、（Ａ）は電気式空気清浄機および、または脱臭フィルタを装着する前の状態を、（Ｂ）は電気式空気清浄機および、または脱臭フィルタを装着している状態を、（Ｃ）は電気式空気清浄機および、または脱臭フィルタを装着した状態を夫々示す断面図であり、図９は本発明による空気調和機の要部断面図であり、図１０は本発明による空気調和機の要部分解斜視図であり、図１１は本発明による空気調和機の要部断面図であり、図１２は本発明による空気調和機の要部断面図であり、図１３は本発明による空気調和機の要部説明図である。
【００３０】
本発明による空気調和機は、図で示すように、前部を開放したベース１に、吸込口２を備え前端が低くなるように傾斜させた上部パネル３と、吹出口４を備え前部に行くにしたがって上方に湾曲するように形成された下部パネル５とで構成された前面パネル６が装着された構成になっている。
【００３１】
上記構成により、上下寸法を小型化した所謂シーリングウォール型の空気調和機として、被空調室の天井面に近接させて吊下げ設置または壁掛け設置できるようになり、前記吸込口２から室内空気を効率よく吸い込めるようになると共に、前記下部パネル５を湾曲形成したことにより、被空調室を臨ませて大きく形成できるようにした前記吹出口４から吹出空気を効率よく吹き出せるようになっている。
【００３２】
前記吸込口２と前記吹出口４とを結ぶ空気通路には逆Ｖ字状に形成された熱交換器７と送風ファン８とが設けられ、前記吸込口２の裏面にはプレフィルタ９が設けられると共に、同プレフィルタ９と前記熱交換器７との間には電気式空気清浄機１０が着脱可能に装着されている。
【００３３】
これにより、前記送風ファン８を駆動することによって前記吸込口２から吸い込まれた空気が、前記プレフィルタ９を通過することによって清浄化されると共に、前記電気式空気清浄機１０によって更に効果的に清浄化されたのち、前記熱交換器７によって熱交換され、前記吹出口４から被空調室に吹き出されるようになっている。
【００３４】
前記電気式空気清浄機１０は、第一の実施例として図１乃至図５で示すように、通気性を有する前面カバー１２および後面カバー１３を備えると共に、同後面カバー１３の前後部に支持体１４および把手部１５を突設し、且つ上流側に放電用イオナイザ線１６に放電対電極板１７を対向させたコロナ放電部を備え、下流側に集塵電極部１８を備えた本体部１９と、前記吸込口２に設けられ、前記支持体１４を着脱可能に枢支する枢支部２０と、前記前面カバー６および前記後面カバー１３の後部を係脱可能に係止する係止部２１とを備え、これら枢支部２０と係止部２１とを接続して前記本体部１９の底部を接離可能に支持する通気性を有する断面凹状のベース部２２とで構成されている。
【００３５】
そして、前記本体部１９が、前記支持体１４を前記枢支部２０で枢支し、底部を前記ベース部２２で支持すると共に、後部を前記係止部２１で係止して前部が低くなるように装着されている。
【００３６】
または、前記電気式空気清浄機１０は、第二の実施例として図６と図７とで示すように、通気性を有する前面カバー１２および後面カバー１３を備えると共に、同後面カバー１３の前後部に支持体１４および把手部１５を突設し、且つ上流側の一側に放電用イオナイザ線１６に放電対電極板１７を対向させたコロナ放電部を備え、下流側の一側に集塵電極部１８を備えた本体部１９と、前記吸込口２に設けられ、前記支持体１４を着脱可能に枢支する枢支部２０と、前記前面カバー６および前記後面カバー１３の後部を係脱可能に係止する係止部２１とを備え、これら枢支部２０と係止部２１とを接続して前記本体部１９の底部を接離可能に支持する通気性を有する断面凹状のベース部２２とで構成されると共に、脱臭フィルタ１１が前記後面カバー１３の上流側の他側に挿脱可能に設けられた構成になっている。
【００３７】
そして、前記本体部１９および前記脱臭フィルタ１１が、前記支持体１４を前記枢支部２０で枢支し、底部を前記ベース部２２で支持すると共に、後部を前記係止部２１で係止して前部が低くなるように装着されている。
【００３８】
これにより、前記本体部１９および前記脱臭フィルタ１１を併設できるようになり、これら本体部１９および脱臭フィルタ１１を重設した場合に比べて通風抵抗が大きくならないので、前記吸込口２から吸い込まれて前記吹出口４に送出される空気流の損失を少なく抑えることができる。
【００３９】
前記ベース部２２は、図２で示すように、同ベース部２２の後端部に連続形成された係合片２２ａ  が、同係合片２２ａ  に対応して前記上部パネル３に形成された係合部３ａに係合されると共に、前端部に連続形成された挿通孔を有する固定片２２ｂ  が、同固定片２２ｂ  の挿通孔に対応して前記上部パネル３に形成されたねじ孔を有する固定部３ｂにねじ締めして固定されるようになっている。
【００４０】
前記係合部３ａの近傍には、前記係合片２２ａ  の近傍に係合する補助係合部３ａ’  が形成されており、これら係合部３ａおよび補助係合部３ａ’  により前記係合片２２ａ  およびその近傍を上下に挟持して該個所のガタツキを防止できるように構成されている。
【００４１】
また、前記支持体１４は、前記後面カバー１３の前端部両側に突設された対をなす先細状の係合片１４からなり、前記枢支部２０は、前記係合片１４の外形部に対応して前記ベース部２２に設けられたテーパ状の係合孔２０からなる構成となっている。
【００４２】
これにより、図４と図６とで示すように、前記ベース部２２の底部両側に設けられた前記枢支部２０に前記本体部１９を、もしくは同本体部１９および前記脱臭フィルタ１１を装着する際、前記支持体１４を前記ベース部２２でガイドしながら上方から円滑に係合して枢支できるようになっているので該個所の位置合わせは容易である。
【００４３】
また、前記後面カバー１３の後部に突設された前記把手部１５は、図４と図６と図８とで示すように、前記後面カバー１３の中央部に一体成形され、後部を開放した箱状の突出片１５からなる構成となっているので、手指とくに指先を容易に、且つ正確に掛けることができるようになっている。
【００４４】
前記本体部１９の後部には、切欠溝１３ａ  からなる複数の段部１３ａ  が形成される一方、前記係止部２１が、前記ベース部２２に設けられ、前記段部１３ａ  に係脱可能に係止する複数の係止爪２１からなる構成となっているので、前部が枢支された前記本体部１９の後部を正確に、且つ強固に係止できるようになっている。
【００４５】
前記本体部１９の放電対電極板１７および前記後面カバー１３の一側には、同後面カバー１３に前記放電対電極板１７を固定する固定部２４と、同放電対電極板１７に接続される電気接点部２５とを設ける一方、他側には、前記放電対電極板１７を前記後面カバー１３に係脱可能に係止する補助係止部２６を設けているので、空気調和機運転時の振動による前記放電対電極板１７の上下移動が生じないようになっている。
【００４６】
前記固定部２４は、平らなシート状に形成された前記放電対電極板１７の一側部と、前記後面カバー１３の一側に設けられ、前記放電対電極板１７の一側部を収容して固定する枠体２７とからなる構成となっているので、放電対電極の前記電気接点部２５の電気接点の形成が可能になった。
【００４７】
また、図９乃至図１３で示すように、前記枠体２７の上面部には、前記放電極用電気接点板２８を設け、前記枠体２７の壁により、前記放電対電極板１７と前記放電用イオナイザ線１６との間に絶縁抵抗が形成されている。
【００４８】
前記放電極用電気接点板２８の一端は、ばねを介して前記放電用イオナイザ線１６と接続する一方、他端は、前記支持体１４を突設した前記後面カバー１３の縁部から外側にはみ出すように形成されているので、放電極の電気接点と前記放電対電極板１７の電気接点との絶縁距離が大きくなって絶縁抵抗を大きくとれるようになっている。
【００４９】
前記枠体２７の上下面にはリブ２９を突設し、同リブ２９により、前記枠体２７の上下面に前記放電極用電気接点板２８および前記放電対電極用電気接点２５が接触しないようにしている。
【００５０】
前記集塵電極部１８は、導電性を有する部材により網形状によりシート状に形成されているので、該接合個所の通気性を確保して効率よく集塵できるようになっている。
【００５１】
また、前記放電対電極板１７の下面が平坦に形成されると共に、前記集塵電極部１８が隙間なく接合されているので、該接合個所にできた隙間に塵埃が溜まってしまうということがない。
【００５２】
前記ベース部２２には、前記本体部１９の前記放電用イオナイザ線１６と前記放電対電極板１７に対応する板ばね状の電気接点３０を設けて導電性能を確保している。
【００５３】
前記板ばね状の電気接点３０は、前記放電対電極板１７に対する接点位置が前記ベース部２２の上面側の中央よりも下方に位置するようにしているので、前記本体部１９の自重により前記放電対電極板１７に正確に接続できる電気接点となる。
【００５４】
前記ベース部２２には、前記本体部１９に電源を供給するための高圧トランス３１を収容するトランス収容部３２を設けているので、前記高圧トランス３１を収容することで容易に取付できるようになっている。
【００５５】
前記トランス収容部３２は、前記ベース部２２の裏面側に一体成形されているので、前記高圧トランス３１を収容したり取り付けたりするための部材を個別に形成しなくてもよい。
【００５６】
前記高圧トランス３１から導出された放電電極線３３および放電対電極線３４は、前記ベース部２２の裏面側に形成された独立した線路３５（図１０参照）を通して前記放電用イオナイザ線１６および前記放電対電極板１７に夫々接続されるようになっているので、絶縁不良といった電気的トラブルを防止できるようになっている。
【００５７】
前記高圧トランス３１から前記本体部１９に供給される電源は、中継コネクタ３６を介して接続されたメイン基板ユニット３７により入力されるようにしているので、簡便に、且つ正確に接続できるようになっている。
【００５８】
なお、前記高圧トランス３１を前記トランス収容部３２に収容した際、図１０で示すように、同トランス収容部３２が、蓋体３９の透孔ａを通したねじをねじ孔ｂに螺着することによってカバーされるようになっている。
【００５９】
また、前記本体部１９を臨ませた前記前面カバー１２の上部には、図１３で示すように、前記放電電極線３３および前記放電対電極板１７に平行な保護部材３８を設けているので、該個所の安全性が確保できている。
【００６０】
更に、前記脱臭フィルタ１１が、活性炭ＰＥ（ポリエチレン）材またはＰＰ（ポリプロピレン）材によりハニカム状またはプリーツ状に形成されているので、表面積を大きくすることにより脱臭性能を高めて効果的な空気清浄が実現できるようになっている。
【００６１】
以上の構成により、次にその動作について説明する。
図８（Ａ）乃至図８（Ｃ）で示すように、前記支持体１４を前記枢支部２０に係脱可能に係合して枢支し、前記電気式空気清浄機１０の底部を前記ベース部２２で受けたのち、前記段部１３ａ  を弾性を有する前記係止部２１によって係脱可能に係止する。
【００６２】
その際、前記支持体１４は、前記ベース部２２でガイドしながら上方から前記枢支部２０に係合して枢支されるようになっているので、該個所の位置合わせは上記に述べた従来技術の場合に比べて容易である。
【００６３】
一方、前記電気式空気清浄機１０を取り外す時には、前記把手部１５に手指を掛けて前方に引くことによって前記係止部２１から前記段部１３ａ  を離脱させ、引き続いて前記支持体１４を中心に前記把手部１５を前方に回動させながら、上方に持ち上げるようにして取り外せばよい。
【００６４】
【発明の効果】
以上説明したように、本発明によれば、電気式空気清浄機および、または脱臭フィルタを簡便な構成により容易に、且つ正確に着脱できるようにした空気調和機となる。
【図面の簡単な説明】
【図１】本発明による空気調和機の断面図である。
【図２】本発明による空気調和機の要部断面図である。
【図３】本発明による空気調和機の説明図で、（Ａ）は要部分解斜視図であり、（Ｂ）は要部斜視図である。
【図４】本発明による空気調和機の一実施例を示す分解斜視図である。
【図５】本発明による空気調和機の一実施例を示す分解斜視図である。
【図６】本発明による空気調和機の他の実施例を示す分解斜視図である。
【図７】本発明による空気調和機の他の実施例を示す分解斜視図である。
【図８】本発明による空気調和機の説明図で、（Ａ）は電気式空気清浄機および、または脱臭フィルタを装着する前の状態を断面図であり、（Ｂ）は電気式空気清浄機および、または脱臭フィルタを装着している状態を断面図であり、（Ｃ）は電気式空気清浄機および、または脱臭フィルタを装着した状態を示す断面図である。
【図９】本発明による空気調和機の要部断面図である。
【図１０】本発明による空気調和機の要部分解斜視図である。
【図１１】本発明による空気調和機の要部断面図である。
【図１２】本発明による空気調和機の要部断面図である。
【図１３】本発明による空気調和機の要部説明図である。
【符号の説明】
１  ベース
２  吸込口
３  上部パネル
３ａ  係合部
３ａ’  補助係合部
３ｂ  固定部
４  吹出口
５  下部パネル
６  前面パネル
７  熱交換器
８  送風ファン
９  プレフィルタ
１０  電気式空気清浄機
１１  脱臭フィルタ
１２  前面カバー
１３  後面カバー
１３ａ  段部（切欠溝）
１４  支持体（係合片）
１５  把手部（突出片）
１６  放電用イオナイザ線
１７  放電対電極線
１８  集塵電極部
１９  本体部
２０  枢支部（係合孔）
２１  係止部（係止爪）
２２  ベース部
２２ａ  係合片
２２ｂ  固定片
２３  段部
２４  固定部
２５  電気接点部
２６  補助係止部
２７  枠体
２８  放電極用電気接点板
２９  リブ
３０  電気接点
３１  高圧トランス
３２  トランス収容部
３３  放電電極線
３４  放電対電極線
３５  線路
３６  中継コネクタ
３７  基板ユニット
３８  保護部材
３９  蓋体
ａ  透孔
ｂ  ねじ孔
【図１】
2004218990.tif 000003
【図２】
2004218990.tif 000004
【図３】
2004218990.tif 000005
【図４】
2004218990.tif 000006
【図５】
2004218990.tif 000007
【図６】
2004218990.tif 000008
【図７】
2004218990.tif 000009
【図８】
2004218990.tif 000010
【図９】
2004218990.tif 000011
【図１０】
2004218990.tif 000012
【図１１】
2004218990.tif 000013
【図１２】
2004218990.tif 000014
【図１３】
2004218990.tif 000015